(57)【特許請求の範囲】
【請求項１】
液透過性の表面シート、液不透過性の裏面シート、及びこれら両者の間に介在する吸液性コアとを有し、該吸液性コアの両側縁から延出される左右一対のサイドフラップと吸液性コアの両端縁から延出される前後部一対のエンドフラップとを備え、これらによって使用時に腹面に位置する前身頃、両側に身体に抱着される延出した一対の翼部を備えた尻面に位置する後身頃、及びこれら両者の間に介在する伸縮性の股下部とが形成されている使い捨ておむつであって、前記吸液性コアの両端縁から延出される前部エンドフラップが縦方向の伸縮部を有し、該伸縮部と前記伸縮性股下部とが不連続に配置されており、さらに前記前身頃、後身頃及び股下部には長手方向に起立性及び伸縮性を有するバリアカフが形成され、前記バリアカフの端部が前部エンドフラップに固定されており、前部エンドフラップの伸縮力が該バリアカフの伸縮力より大きいことを特徴とする使い捨ておむつ。
【請求項２】
前部エンドフラップの幅寸法が端部に向かって漸減していることを特徴とする、請求項１記載の使い捨ておむつ。
【発明の詳細な説明】
【０００１】
【発明の属する技術分野】
この発明は、使い捨ておむつに関し、更に詳しくは、装着した場合、的確なフィット性を有する使い捨ておむつに関する。
【０００２】
【従来の技術】
近年、老人を含めた介護保健の法改正が行われたことから、幼児用おむつに加えて老人用おむつの需要が、ますます増大している。
中でも、利便性の点から、使い捨ておむつの人気が高くなっている。
このような使い捨ておむつとしては、尿等の排出物を外部に漏らさないように的確に保持しておくことが必須の条件である。
そのためには、おむつとして的確な防水機能や吸液機能を備えていることの他に、装着した場合のフィット性が重要なキーポイントとなる。
【０００３】
図６は、従来の使い捨て紙おむつＴを概略的に示した展開図であり、図７及び図８は、使い捨て紙おむつの着用手順を示す。
この使い捨て紙おむつＴは、液透過性の表面シート、液不透過性の裏面シート、及びこれら両者の間に介在する吸液性コアとを有し、該吸液性コアの両側縁から延出される左右一対のサイドフラップと前記吸液性コアの両端縁から延出される前後部一対のエンドフラップとを備えている。
そして前身頃Ａ、翼部Ｃ１を備えた後身頃Ｃ、及びこれら両者の間に介在する股下部Ｂとが形成されているものである。
【０００４】
このような使い捨て紙おむつＴを着用するには、先ず後身頃Ｃの止着部材Ｆ１を備えた一対の翼部Ｃ１をウエストＷに廻して抱えるように身体に取り付ける（図７参照）。
【０００５】
そして、この状態から前身頃Ａの先端部（すなわちエンドフラップ１）を引っ張り上げると前身頃Ａ及び股下部Ｂは身体に押し付けられる（図８参照）。
そして、エンドフラップ１に取り付けられた止着部材Ｆ２を後身頃の翼部Ｃ１に押し付ける。
その結果、使い捨て紙おむつは身体の尻面や腹面に密着されて引き締まった状態となる。
【０００６】
また、幅方向（長尺方向と垂直方向）には、弾性糸等の弾性伸縮部材により伸縮性が付与されているために腰の側面に的確に押し付けられて密着される。
このように、当初は、使い捨て紙おむつは上下、幅方向ともフィット性が保持されたものとなる。
【０００７】
ところが、一般に使い捨ておむつＴは、全体が主として紙等の軽くて柔らかい素材より作られている上、長手方向には積極的な伸縮性が付与されていないため、使用しているうちに上記のような押し付け力が徐々に緩和され引き締まった状態が緩んでくる（図９参照）。
【０００８】
そのために、おむつと肌面との間に空間Ｌが生じ易い。
そのため肌面に対する密着性が十分でなくなってフィット性が低下し、尿等の排出物が外に漏れ出し易くなるのである。
このように、従来の使い捨ておむつＴでは、身体に対するフィット性、特に股下に対する密着性は必ずしも満足できるものではなかった。
【０００９】
【発明が解決しようとする課題】
本発明は、上記の問題点の解決を意図したものである。
即ち、本発明の目的は、身体に的確に保持することができフィット性に優れた使い捨ておむつＴを提供することである。
【００１０】
【課題を解決するための手段】
しかして、本発明者等は、このような課題に対して、鋭意研究を重ねた結果、前身頃Ａのエンドフラップ１に縦方向の伸縮性を与えることにより、上下方向の押し付け力が従来の欠点を克服できることを見出し、この知見に基づいて本発明を完成させたものである。
【００１１】
即ち、本発明は、（１）、  液透過性の表面シート、液不透過性の裏面シート、及びこれら両者の間に介在する吸液性コアとを有し、該吸液性コアの両側縁から延出される左右一対のサイドフラップと吸液性コアの両端縁から延出される前後部一対のエンドフラップとを備え、これらによって使用時に腹面に位置する前身頃、両側に身体に抱着される延出した一対の翼部を備えた尻面に位置する後身頃、及びこれら両者の間に介在する伸縮性の股下部とが形成されている使い捨ておむつであって、前記吸液性コアの両端縁から延出される前部エンドフラップが縦方向の伸縮部を有し、該伸縮部と前記伸縮性股下部とが不連続に配置されており、さらに前記前身頃、後身頃及び股下部には長手方向に起立性及び伸縮性を有するバリアカフが形成され、前記バリアカフの端部が前部エンドフラップに固定されており、前部エンドフラップの伸縮力が該バリアカフの伸縮力より大きいことを特徴とする使い捨ておむつに存する。
【００１４】
そしてまた、（２）、前部エンドフラップの幅寸法が端部に向かって漸減している上記（１）記載の使い捨ておむつに存する。
【００１５】
本発明は、その目的に沿ったものであれば、上記（１）、（２）を組み合わせた構成も採用可能である。
【００１６】
【発明の実施の形態】
以下、具体的な実施の形態を挙げ図面に基づいて本発明を説明する。
【００１７】
図１は、本発明の実施形態における使い捨ておむつＴを概略的に示した展開図であり、また図２は、その外観図である。
本発明の使い捨ておむつＴは、後述するように、吸液性コア５の前端から延出されるエンドフラップ１が縦方向に伸縮性を有するところに主な特徴がある。
【００１８】
図１に示すように、まず、この使い捨ておむつＴは、液透過性の表面シート３と液不透過性の裏面シート４と両者の間に介在する吸液性コア５とを有する。
この吸液性コア５は、その両側端から延出される一対のサイドフラップ２を備え、また両端縁から延出される一対のエンドフラップ１とを備えている。
【００１９】
因みに、吸液性コア５は、通常、親水性繊維と高吸収性ポリマーとを透水性のティシュで包んだ構造となっている。
これによって使用時に腹面に位置する前身頃Ａ、両側に身体に抱着される延出した一対の翼部Ｃ１を備え尻面に位置する後身頃Ｃ、及びそれらを結合する股下部Ｂとが形成されている。
【００２０】
また、前身頃Ａの一部である前記吸液性コア５の両端縁から延出される前部のエンドフラップ１には伸縮性が付与されている。
具体的には、エンドフラップ１の地組織に縦方向に弾性伸縮部材１１が装備されることによりその方向に伸縮性を有するものである。
また後身頃Ｃの縁部には幅方向に伸縮性を付与するための伸縮部材が装備されており、腰側面への密着性を良くする。
なお、レッグホール部には同様に伸縮性を付与するための伸縮紐が装備されており脚周囲への密着性を良くする。
【００２１】
エンドフラップ１の肌当接面の端部には止着部材Ｆ２が取り付けられている。この止着部材Ｆ２により、前身頃Ａは、後身頃Ｃに備わった左右の翼部Ｃ１の肌非当接面に止着されて腹面を覆うように当接される。
このように止着部材Ｆ２は、後身頃Ｃの地組織に押し付けることで適宜の固定力をもって固定でき、且つ引っ張ることで外せるものであれば他のものでも良く、例えば、タッチファスナー、粘着剤等の採用が好ましい。
【００２２】
止着部材Ｆ２がエンドフラップ１の端部に取付けられているために、少なくとも伸縮領域Ｌの伸縮力が寄与して前身頃Ａ及び股下部Ｂを身体に対して密着させるように作用することとなる。
また、エンドフラップ１は、その幅寸法が端部に向かって漸減していることが好ましい。
幅寸法が端部に向かって漸減していることで、エンドフラップ１を引っ張り上げる際、その力がエンドフラップ１の長手方向中央部に集中し、バリアカフ６に作用する引っ張り力がより有効に作用する。
【００２３】
以上述べたエンドフラップ１は、吸液性コア５の端縁から液透過性の表面シート３と液不透過性の裏面シート４とを延出することで形成される。
しかし、本発明のエンドフラップ１には、伸縮性を与えるための弾性伸縮部材１１が装備されているために伸縮性を付与されていないエンドフラップ１より余分の製造工数を必要とする。
そのために、独立したエンドフラップ１を別途製造しておき、吸液性コア５の端部に接着、溶着等の結合手段を使って取り付けることも可能である。
【００２４】
さて、使い捨ておむつＴの前身頃Ａ、後身頃Ｃ及び股下部Ｂの適宜位置には、長手方向にバリアカフ６が形成されている。
このバリアカフ６は、通常、液不透過性のシートよりなり、その起立状の自由縁部には弾性伸縮部材６１（例えば、天然ゴム、合成ゴム等よりなる）を装備することでギャザー状になって起立することができる。
そして、身体にこの使い捨ておむつを着用した場合、バリアカフ６により立壁が形成され尿等の漏れ出しを防止することができる。
【００２５】
更に本発明ではバリアカフ６の固定端部６２が前記エンドフラップ１の端部に固定されていることが好ましい。
何故なら、着用の際、エンドフラップ１の端部を引っ張り上げると共にバリアカフ６の固定端部６２も引っ張り上げられるからである。
そのためにエンドフラップ１がより起立する方向に作用する。
ところで、エンドフラップ１の伸縮力はバリアカフ６の伸縮力より大きいことがより好ましい。
【００２６】
何故なら、エンドフラップ１の端部を引っ張っても、その伸縮力はバリアカフ６の伸縮力にのみ依存することがないからエンドフラップ１が緩むことはないからである。
ところで、バリアカフ６はエンドフラップ１の領域において、一対のバリアカフ６の上から塞ぐように、例えば、図示しない発水性シートを覆うことが好ましい。
そのために腹面側にポケットが形成されることになり尿等の漏れ出し防止をより確実にする。
【００２７】
さて次に、本発明の使い捨ておむつＴの着用手順を述べる。
図３〜図５は、その着用手順を示す図である。
本発明の使い捨ておむつＴを着用するには、まず、後身頃Ｃから延出した左右の翼部Ｃ１を掴んで、図３の矢印の如く着用する人のウエストＷに廻して締め付けるように抱着させる（図３→図４）。
この場合、一対の翼部Ｃ１は止着部材Ｆ１を備えており、その一方の翼部Ｃ１の端を他方の翼部Ｃ１に重ねて押し付けることにより簡単に両者は止着できる。この時点で、翼部Ｃ１がウエストＷを適当に締め付けるように作用しているために後身頃Ｃは尻面を覆い、また股下部Ｂと前身頃Ａは垂下して自由な状態となる。
【００２８】
次に、前身頃Ａのエンドフラップ１を掴んで引っ張り上げ、それに取り付けた止着部材Ｆ２をすでにウエストＷに抱着されている翼部Ｃ１に対して押し付けると、前身頃Ａは腹面を覆う状態で止着される。
この場合、前身頃Ａのエンドフラップ１は縦方向（長手方向）に伸縮性を有するために、股下部Ｂは上方に押し付けられて股下の肌面に密着し、また前身頃Ａも腹面に密着する。
そのために股下からの尿等の漏れ出しは確実に防止されるのである。
更に、バリアカフ６が起立状態となり、尚更、尿等の漏れ出しは防止される。
【００２９】
以上述べた本発明の使い捨ておむつＴは、身体に直接、着用するものであるが、インナーおむつである吸液性おむつを内面に添着してアウターのおむつとして使用することも可能である。
【００３０】
以上、本発明を説明してきたが、本発明は、実施の形態に限定されるものではなく、その本質から逸脱しない範囲で、他の種々な変形例が可能であることは言うまでもない。
すなわち、液透過性の表面シート３と液不透過性の裏面シート４と両者の間に介在する吸液性コア５とを有するコアー本体部の形状は種々の形が採用可能である。
【００３１】
また、吸液性コア５の両側縁から延出される一対のサイドフラップ２、また両端縁から延出される一対のエンドフラップ１の形も種々の形が可能である。
またエンドフラップ１の伸縮性が付与された伸縮領域Ｌは全域でなくても部分的でも可能である。
また、第１及び止着部材Ｆの数は限定されない。
更にまた、後身頃Ｃに対する前身頃Ａの取り付けをより確実にするために、更に別位置に止着部材Ｆを増やすことも可能である。
【００３２】
【発明の効果】
本発明の使い捨ておむつＴは、エンドフラップ１の伸縮性により前身頃Ａや股下部Ｂが身体に密着する方に作用してフィット性が極めてよい。
そのため保持性がよく股下部Ｂからの尿等の漏れ出しが確実に防止される。
また、バリアカフ６がエンドフラップ１の端部に固定されていることによりバリアカフ６の起立性が極めて良好となり尿等の漏れ出しをより確実に防止する。
【図面の簡単な説明】
【図１】図１は、本発明の実施形態における使い捨ておむつを概略的に示した展開図である。
【図２】図２は、本発明の実施形態における使い捨ておむつの外観図である。
【図３】図３は、本発明の実施形態における使い捨ておむつの着用手順を示す。
【図４】図４は、本発明の実施形態における使い捨ておむつの着用手順（翼部を止着した状態）を示す。
【図５】図５は、本発明の実施形態における使い捨ておむつの着用手順（着用が完了した状態）を示す。
【図６】図６は、従来の使い捨て紙おむつを概略的に示した展開図である。
【図７】図７は、従来の使い捨て紙おむつの着用手順（翼部を止着した状態）を示す。
【図８】図８は、従来の使い捨て紙おむつの着用手順（着用が完了した状態）を示す。
【図９】図９は、従来の使い捨て紙おむつが緩んだ状態を示す。
【符号の説明】
１…エンドフラップ
１１…弾性伸縮部材
２…サイドフラップ
３…表面シート
４…裏面シート
５…吸液性コア
６（６Ａ，６Ｂ）…バリアカフ
６１…弾性伸縮部材
６２…固定端部
Ｆ１，Ｆ２…止着部材
Ｔ…使い捨ておむつ
Ａ…前身頃
Ｂ…股下部
Ｃ…後身頃
Ｃ１…翼部
Ｗ…ウエスト
【図１】
0003902456.tif 000002
【図２】
0003902456.tif 000003
【図３】
0003902456.tif 000004
【図４】
0003902456.tif 000005
【図５】
0003902456.tif 000006
【図６】
0003902456.tif 000007
【図７】
0003902456.tif 000008
【図８】
0003902456.tif 000009
【図９】
0003902456.tif 000010